(57)【特許請求の範囲】
【請求項１】
寝具の略半分を載置する第１の載置枠に固着される第１の支脚部を有する第１のベッド枠体と、前記寝具の他方の略半分を載置しうる第２の載置枠の一端部を第２の支脚部で枢支した第２のベッド枠体とからなり、
かつ前記第１の載置枠と前記第２の載置枠との向き合う他端部を、該第１、第２の載置枠が水平にのばされる水平状態と、逆Ｖ字状となる垂直状態との間で折り畳み可能に枢着するとともに、
前記第１のベッド枠体は、前記第１の支脚部に設けられかつ前記水平状態で該第１の載置枠を支持する第１の車輪と、
前記第１の載置枠の一端部側に配されかつ前記垂直状態で該第１の載置枠から突出し床面に接地する第２の車輪とを具え、
かつ該第２の車輪は、垂直状態から水平状態への展開により前記第１の載置枠の下方へ収容されるとともに、前記第１の載置枠に、ベッド長さ方向にスライド可能に配された摺動金具の外端側に取り付けられる一方、前記垂直状態となるに従いこの摺動金具を前記第１の載置枠の前記他端部側から一端部側に向けてスライドさせる作動具を設けたことを特徴とする折畳みベッド。
【請求項２】
前記摺動金具は、ベッド長さ方向にのびる第１のアーム片と、この第１のアーム片に枢着されかつ前記第２の車輪が取り付けられた第２のアーム片とを含むことを特徴とする請求項１記載の折畳みベッド。
【請求項３】
前記第２の車輪は、前記第１の載置枠に、ベッド長さ方向にスライド可能に配された摺動金具の外端側に取り付けられる一方、
前記水平状態となるに従いこの摺動金具を前記第１の載置枠の前記一端部側から他端部側に向けてスライドさせる作動具を設けたことを特徴とする請求項１又は２記載の記載の折畳みベッド。
【請求項４】
前記第１の載置枠と前記第２の載置枠とは、一端に前記第１の載置枠の他端部をかつ他端に前記第２の載置枠の他端部を枢支した継ぎ材を介して枢着され、かつ該継ぎ材に、垂下しかつ前記水平状態において床面に接地する中間支脚部を設けるとともに、
前記作動具は、この中間支持脚と前記摺動金具の内端側とを連結する連結具からなることを特徴とする請求項２又は３記載の折畳みベッド。
【請求項５】
前記垂直状態において、前記摺動金具は、前記第１の載置枠に沿う第１のアーム片と、前記第１の載置枠の下方で前記第２の載置枠と反対側に折れ曲がりかつ前記第２の車輪を前記第１の載置枠よりも外側で接地させる第２のアーム片とからなることを特徴とする請求項２〜４のいずれかに記載の折畳みベッド。
【請求項６】
前記摺動金具は、前記第１のアーム片と前記第２のアーム片とを屈曲させるバネ手段を含むことを特徴とする請求項５記載の折畳みベッド。
【請求項７】
前記第２のアーム片は、第１の載置枠から外側に突出する部分に、化粧カバーを具えることを特徴とする請求項５又は６に記載の折畳みベッド。
【請求項８】
前記第１の車輪は、前記垂直状態において床面から浮上するとともに、展開に伴う接地に際して前記第２の車輪が浮上することを特徴とする請求項１〜７のいずれかに記載の折畳みベッド。
【発明の詳細な説明】
【０００１】
【発明の属する技術分野】
本発明は、逆Ｖ字状に容易に折り畳みうるとともに、外観を向上しうる折畳みベッドに関する。
【０００２】
【従来の技術及び発明が解決しようとする課題】
ベッドを逆Ｖ字状に山形で折畳みすることにより、例えば布団などの寝具を敷いたまま収納を可能とする折畳みベッドが知られている。図１３には、このような折畳みベッドａの水平状態の斜視図、図１４にはそれを折畳んだ垂直状態の概略側面図を示している。なお図１４では、構造を理解しやすいようにマットレスやスプリングなどは図示省略している。
【０００３】
この折畳みベッドａは、その長さ方向で２つ割りされた第１のベッド枠体ｂと、第２のベッド枠体ｃとを含んで構成されている。これらの第１のベッド枠体ｂと、第２のベッド枠体ｃとは、互いに向き合う側で継ぎ材ｔにピン結合されることにより、水平状態と逆Ｖ字状となる垂直状態との間で折り畳み可能に枢着されている。
【０００４】
前記第１のベッド枠体ｂは、例えば通常の半分の長さのマットレスｍなどを載置しうる枠組からなる第１の載置枠ｄと、水平状態においてこの第１の載置枠ｄの荷重を支えうる第１の支脚部ｅとを具える。第１の支脚部ｅは、一端が前記第１の載置枠ｄに固着された一対の脚部材ｋと、該脚部材ｋの先端に固着された第１の車輪ｎとから構成されている。
【０００５】
他方、前記第２のベッド枠体ｃは、本例では前記半長さのマットレスｍなどを載置しうる枠組からなる第２の載置枠ｇと、水平状態においてこの第２の載置枠ｇの荷重を支えうる第２の支脚部ｉとを具える。第２の支脚部ｉは、一端が前記第２の載置枠ｇにピンｊ等により回転可能に枢着された脚部材ｉ１と、この脚部材ｉ１の他端側に固着された床面に接する車輪ｉ２とを具えるものを例示している。
【０００６】
また図１４に示す折り畳んだ垂直状態においては、通常、前記第１の車輪ｎが床面Ｆから浮き上がる。このため、折畳みを円滑にならしめるために、また折り畳んだ状態でベッドを床面Ｆに沿って安定性良く走行させるべく、前記第１のベッド枠体ｂ側には、通常、前記第１の車輪ｎの他、例えば第１の載置枠ｄ或いは本例のようにその立上げ部ｐに、垂直状態において床面Ｆに接地でき前記第１のベッド枠体ｂの荷重を支えうる第２の車輪ｑが設けられる。
【０００７】
しかしながら、上述のような第２の車輪ｑは、垂直状態では上述の如くベッドの安定性の向上などに寄与しうるが、図１３に示す水平状態ではベッドａの外部しかも比較的上部に露出してしまい、目立ちやすく外部から容易に視認されるため、ベッドａの外観ないし意匠性を損ねるという不具合がある。
【０００８】
本発明は、以上のような問題点に鑑み案出なされたもので、第２の車輪を、垂直状態から水平状態への展開により前記第１の載置枠の下方へ収容することを基本として、折畳み、展開を容易としつつも水平状態において第２の車輪を目立ちにくすることにより美観を向上しうる折畳みベッドを提供することを主たる目的としている。
【０００９】
【課題を解決するための手段】
本発明のうち請求項１記載の発明は、寝具の略半分を載置する第１の載置枠に固着される第１の支脚部を有する第１のベッド枠体と、前記寝具の他方の略半分を載置しうる第２の載置枠の一端部を第２の支脚部で枢支した第２のベッド枠体とからなり、かつ前記第１の載置枠と前記第２の載置枠との向き合う他端部を、該第１、第２の載置枠が水平にのばされる水平状態と、逆Ｖ字状となる垂直状態との間で折り畳み可能に枢着するとともに、前記第１のベッド枠体は、前記第１の支脚部に設けられかつ前記水平状態で該第１の載置枠を支持する第１の車輪と、前記第１の載置枠の一端部側に配されかつ前記垂直状態で該第１の載置枠から突出し床面に接地する第２の車輪とを具え、かつ該第２の車輪は、垂直状態から水平状態への展開により前記第１の載置枠の下方へ収容されるとともに、前記第１の載置枠に、ベッド長さ方向にスライド可能に配された摺動金具の外端側に取り付けられる一方、前記垂直状態となるに従いこの摺動金具を前記第１の載置枠の前記他端部側から一端部側に向けてスライドさせる作動具を設けたことを特徴とする折畳みベッドである。
【００１０】
また請求項２記載の発明は、前記摺動金具は、ベッド長さ方向にのびる第１のアーム片と、この第１のアーム片に枢着されかつ前記第２の車輪が取り付けられた第２のアーム片とを含むことを特徴とする請求項１記載の折畳みベッドである。
【００１１】
また請求項３記載の発明は、前記第２の車輪は、前記第１の載置枠に、ベッド長さ方向にスライド可能に配された摺動金具の外端側に取り付けられる一方、前記水平状態となるに従いこの摺動金具を前記第１の載置枠の前記一端部側から他端部側に向けてスライドさせる作動具を設けたことを特徴とする請求項１又は２記載の記載の折畳みベッドである。
【００１２】
また請求項４記載の発明は、前記第１の載置枠と前記第２の載置枠とは、一端に前記第１の載置枠の他端部をかつ他端に前記第２の載置枠の他端部を枢支した継ぎ材を介して枢着され、かつ該継ぎ材に、垂下しかつ前記水平状態において床面に接地する中間支脚部を設けるとともに、前記作動具は、この中間支持脚と前記摺動金具の内端とを連結する連結具からなることを特徴とする請求項２又は３記載の折畳みベッドである。
【００１３】
また請求項５記載の発明は、前記垂直状態において、前記摺動金具は、前記第１の載置枠に沿う第１のアーム片と、前記第１の載置枠の下方で前記第２の載置枠と反対側に折れ曲がりかつ前記第２の車輪を前記第１の載置枠よりも外側で接地させる第２のアーム片とからなることを特徴とする請求項２〜４のいずれかに記載の折畳みベッドである。
【００１４】
また請求項６記載の発明は、前記摺動金具は、前記第１のアーム片と前記第２のアーム片とを屈曲させるバネ手段を含むことを特徴とする請求項５記載の折畳みベッドである。
【００１５】
また請求項７記載の発明は、前記第２のアーム片は、第１の載置枠から外側に突出する部分に、化粧カバーを具えることを特徴とする請求項５又は６に記載の折畳みベッドである。
【００１６】
また請求項８記載の発明は、前記第１の車輪は、前記垂直状態において床面から浮上するとともに、展開に伴う接地に際して前記第２の車輪が浮上することを特徴とする請求項１〜７のいずれかに記載の折畳みベッドである。
【００１７】
【発明の実施の形態】
以下、本発明の実施の一形態を図面に基づき詳述する。
図１には、本実施形態の折畳みベッド（以下、単に「ベッド」ということがある。）１の水平状態の概略斜視図、図２はその側面図、図３は、折り畳んだ垂直状態の側面図を夫々示しており、理解しやすくするために、例えばマットレスや寝台部のスプリング材等は図示省略している。図において、ベッド１は、第１のベッド枠体２と、第２のベッド枠体３とを図１、図２に例示する水平状態と、図３に示す逆Ｖ字状となる垂直状態との間で折り畳み可能に枢着して構成される。
【００１８】
前記第１のベッド枠体２は、寝具（例えば布団、マットレス等）の略半分を載置する第１の載置枠４と、該第１の載置枠４に固着された第１の支脚部５とを含んで構成されている。前記第１の載置枠４は、枠材を例えば略コ字状ないし矩形状（本例ではコ字状）に折り曲げて形成されたものを例示している。該第１の載置枠４は、コ字状の解放側の端部となる他端側Ｂが、継ぎ材１０の一端にピンＰ１を用いて枢着される。なお図示していないが第１の載置枠４には、例えば前記寝具を支える受片、補強部材、ウッド型スプリングなど適宜必要な寝具受け材が配設できる。
【００１９】
また前記第２のベッド枠体３は、前記寝具の他方の略半分を載置しうる第２の載置枠６と、この第２の載置枠６の例えば一端部Ｃに回転自在に枢支された第２の支脚部７とを含んで構成されたものを例示している。前記第２の載置枠６は、第１の載置枠４と略同様に枠材を例えばコ字状に折り曲げることにより形成されたものが例示される。なお図示していないがこの第２の載置枠６にも、前述の寝具受け材などが配設できる。
【００２０】
またこの第２の載置枠６のコ字状の解放側となる他端側Ｄは、本例では前記継ぎ材１０の他端にピンＰ２を用いて枢着される。このように、継ぎ材１０はその一端に前記第１の載置枠４の他端部Ｂを、かつ他端に前記第２の載置枠６の他端部Ｄをそれぞれ枢支している。これにより、第１のベッド枠２と第２のベッド枠３とは、前記第１の載置枠４と第２の載置枠６とが展開した水平状態と、逆Ｖ字状となる垂直状態との間で回動して折れ曲げしうる。なお継ぎ材１０は、前記第１、第２の載置枠４、６が水平を超えてさらに折れ曲がるのも防止しうる。
【００２１】
また前記継ぎ材１０、１０には、中間支脚部１７が設けられる。該中間支脚部１７は、本例ではベッド巾方向にのびる連結材１７ｃと、この連結材１７ｃから垂下する一対の縦脚１７ａ、１７ａと、この縦脚１７ａの下端を継ぎかつ中間部分に上に向かって凸に湾曲する湾曲部Ｙを有する継ぎ脚１７ｂとから構成されたものを例示する。このような中間支脚部１７は、第１の載置枠４と第２の載置枠６との間に配されかつ前記縦脚１７ａと継ぎ脚１７ｂとが床面Ｆに当接することにより、ベッド１の水平状態の安定性を高めるのに役立つ。
【００２２】
さらに、本例のベッド１は、前記中間支脚部１７と前記第１の載置枠４の一端部Ａとの間、及び、前記中間支脚部１７と前記第２の載置枠６の一端部Ｃとの間には、本例では付勢手段としてバネ１９をそれぞれ架け渡している。該バネ１９は、前記第１、第２の載置枠４、６を、常時、垂直状態へと折り畳む向きに付勢する。これにより、前記第１の載置枠４と第２の載置枠６とは、自重によりバネ１９に抵抗して前記水平状態を保持しうる一方、折畳みに際しては、第１のベッド枠体２の他端側Ｂ近傍を上に引き上げる操作力が働くと、前記バネ１９が復元しようとする付勢力がこれにを加わることで、より軽微な力で前記垂直状態に折畳みでき、使い勝手を向上しうる。
【００２３】
前記第２の支脚部７は、本例では、上端が前記第２の載置枠６にピン１３にて回動自在に枢着された支柱部７ａと、この支柱部７ａの下端に固着された水平かつ前後にのびる支持枠部７ｂと、この支持枠部７ｂの前後に配されたキャスタからなる車輪７ｃ、７ｃとから構成されるものを例示する。また第２の載置枠６の両側に設けられた前記支柱部７ａ、７ａは補強枠１５によって一体に結合される。なお、第２の支脚部７はこのような床面Ｆに沿って走行可能な態様に限定されることなく、例えば床面Ｆ、壁面（図示せず）などに固定されたものでも良いし、折畳まれる第１、第２のベッド枠体２、３を収納しうる空間を有する可動、又は固定の箱状体としても形成できる。
【００２４】
また前記第１のベッド枠体２は、前記第１の支脚部５に設けられかつ前記水平状態で該第１の載置枠４を支持する第１の車輪８と、前記第１の載置枠４の一端部Ａ側に配されかつ前記垂直状態で該第１の載置枠４から突出し床面Ｆに接地する第２の車輪９とを具え、かつ該第２の車輪９は、垂直状態から水平状態への展開により前記第１の載置枠４の下方へ収容されることを特徴事項の一つとしている。
【００２５】
前記第１の支脚部５は、本例では前記第１の載置枠４に固着された支脚２０と、この支脚２０の一端側に回転自在に枢支された前記第１の車輪８とからなるものを例示する。該第１の車輪８は、本例ではベッド１の巾方向に沿った水平軸の回りで回動自在な固定輪（非キャスタ輪）からなる。また前記支脚２０は、例えば内部を中空としたパイプ材等からなり、本例では前記第１の載置枠４の各側面に、継ぎ軸２３を介して一体に固着されている。
【００２６】
また本例の支脚２０は、前記第１の載置枠４と略同高さかつ略水平な基部２０ａと、前記基部２０ａの前記第１の載置枠４の他端部Ｂ側に連なる取手部２０ｃと、前記基部２０ａの前記第１の載置枠４の一端部Ａ側に連なりかつ円弧状に湾曲しながら下方へと向かう円弧状部２０ｂとを一体に具えるものが例示される。前記取手部２０ｃは、前記第１の載置枠４よりも上方へのびることにより使用者が把持可能に形成される。これにより、取手部２０ｃと第１の支脚部５とを個別に設ける場合に比して、部品点数ないし取付工数を減じベッド１の生産性を向上しうるほか、見映えを向上するのにも役立つ。またこのような取手部２０ｃは、第１、第２の載置枠４、６上に載置された寝具の横方向へのずれ落ちなどを効果的に防止しうる点で好ましい。また前記取手部２０ｃを含む部分には、手指との摩擦を向上しうるゴム、スポンジ、皮革等の滑り止め材Ｇを配することが操作性をさらに向上しうる点で好ましい。
【００２７】
図４にはベッドの水平状態において前記第１の載置枠４を下方から見た部分斜視図、図５はその分解図をそれぞれ示している。図１、図４、図５に示すように、前記第２の車輪９は、本例では摺動金具１１の外端１１ｅ側に取り付けられたキャスタ輪からなるものが例示されている。
【００２８】
前記水平状態において、摺動金具１１は、前記第１の載置枠４に固着されたガイド部１４によって案内されかつ作動具１６によって、第１の載置枠４の一端部Ａ側または他端部Ｂ側（ベッド長さ方向内、外）にスライドできる。先ず摺動金具１１は、本例では前記第１の載置枠４に沿ってベッド長さ方向にのびる第１のアーム片１１ａと、この第１のアーム片１１ａにピンＰ４を介して枢着されかつ前記第２の車輪９が取り付けられた第２のアーム片１１ｂとを含む。
【００２９】
前記摺動金具１１の外端１１ｅは、図２に示すように、本例では前記第１の載置枠４の一端部Ａの端面Ｅと面一ないし該端面Ｅよりも前記他端部Ｂ側にある。また第２の車輪９は、図１、図２に示したように、水平状態では、第１の載置枠４の下方に位置している。なお第１の載置枠４の下方とは、ベッド１の水平状態かつ平面視において第１の載置枠４の枠材の外周輪郭が囲む領域の下方をも含む意味である。水平状態において、このような領域に第２の車輪９を位置させることにより、第１の載置枠４に寝具を載置したときには、第２の車輪９、摺動金具１１などをいずれも外部から目隠しできる。従ってベッド１は、水平状態において、該水平状態では本来的に不要な前記第２の車輪９を第１の載置枠４の下方へと収容し外部から視認され難くするため、ベッドの美観を損ねることが防止できる。
【００３０】
また前記第１、第２のアーム片１１ａ、１１ｂを連結するピンＰ４には、図５〜図８に示すように、バネ手段としてねじりコイルばね３１が挿入されているものを示す。とりわけ図６、図７に示す如く、該ねじりコイルばね３１は、一端３１Ａが前記第１のアーム片１１ａのウエブ３３に当接し、他端３１Ｂが前記第２のアーム片１１ｂに設けた下方に開く切り起こし片３５に係止されている。これにより、ねじりコイルばね３１は、前記ピンＰ４を支点として常時、第１、第２のアーム片１１ａ、１１ｂを屈曲させる向き、本例ではベッド１の水平状態において第２のアーム片１１ｂを上に跳ね上げる向きに付勢できる。
【００３１】
また図７に示すように、前記第２のアーム片１１ｂは、前記第１のアーム片１１ａのウエブ３３の端面３３ｅに当接することにより、その折れ曲がり角度θを規制できる。この角度θは特に限定されるものではないが、例えば９０〜１２０度程度に設定するのが好ましい。また第２のアーム片１１ｂは、図６に示すように、本実施形態では、金属製の枠材からなるアーム本体１１ｂ１と、このアーム本体１１ｂ１に脱着自在に取付される化粧カバー１１ｂ２とから構成されたものを示す。前記化粧カバー１１ｂ２は、例えば化粧仕上げされた樹脂成形品などからなり、アーム本体１１ｂ１を覆うことによって装飾性、意匠性を高めベッドの美観を向上するのに役立つ。なお化粧カバー１１ｂ２は、アーム本体１１ｂ１に設けた孔部４０に嵌まり合う係止突部４１を有し、容易に交換、取り外しをなしうる。またアーム本体１１ｂ１は、化粧カバー１１ｂ２側を解放した溝型状をなすため、化粧カバー１１ｂ２の取り外しによって第２の車輪９のメンテナンス性を向上する。
【００３２】
このような摺動金具１１を案内する前記ガイド部１４は、図４、図５に示す如く、前記水平状態において、第１の載置枠４の前記一端部Ａの内面にボルト固着された取付部１４ｃと、この取付部１４ｃと一体をなしかつ第１の載置枠４の他端部Ｂ側に向かって略水平にのびる基枠１４ａと、この基枠１４ａの下方に取り付けられることにより、前記摺動金具１１が通るガイド孔Ｈを形成する受け枠１４ｂとから構成されたものを例示している。前記基枠１４ａ、受け枠１４ｂは、本例ではいずれも上部を解放した溝型鋼から形成されるとともに、該受け枠１４ｂは、前記基枠１４ａとの間に隙間を設けてボルト３０により固着されている。これにより、基枠１４ａと受け枠１４ｂとの間に、前記受け枠１４ｂの長さで断面略矩形の前記ガイド孔Ｈを形成できる。
【００３３】
前記摺動金具１１は、前記作動具１６によって図９に示す如く前記ガイド部１４のガイド孔Ｈをベッド長さ方向内、外にスライドしうる。このため、前記ガイド孔Ｈの断面形状は、前記摺動金具１１の横断面より大きく形成されてはいるが、摺動金具１１の前記ピンＰ４が実質的に該ガイド孔Ｈ内に位置しているときには、図９（Ａ）に示すように、前記ねじりコイルばね３１の付勢力による第１、第２のアーム片１１ａ、１１ｂの大きな屈曲を阻止し、摺動金具１１を実質的に一直線状に保持しうる断面形状に設定されている。同様に図９（Ｂ）の如く、前記ピンＰ４が、第１の載置枠４の端面Ｅを外側に越えるまで、前記摺動金具１１の第２のアーム片１１ｂは、前記基枠１４ａに当接し、実質的に直線状に保持される。そして、図９（Ｃ）に示すように、前記ピンＰ４が、前記第１の載置枠４の端面Ｅを外側に越えると、第２のアーム片１１ｂは、むじりコイルばね３１によって最大折れ曲がり角度θで屈曲する。
【００３４】
前記作動具１６は、本例では前記中間支脚部１７と、前記摺動金具１１の内端１１ｉ側とを連結する連結軸１８からなるものを例示する。該連結軸１８は、その一端が前記継ぎ脚１７ｂの湾曲部Ｙの最も高い位置に固着した吊り金具４０にピンＰ５を介して回動自在に枢支されるとともに、他端が前記摺動金具１１の内端１１ｉにピンＰ６を用いて回動自在に枢着されている。
【００３５】
図２に示す前記水平状態において、連結軸１８を中間支持脚１７に連結する前記ピンＰ５は、床面Ｆよりも上方かつ前記摺動金具１１の内端１１ｉよりも下方に位置している。このとき、側面視において連結軸１８と第１の載置枠４とのなす角度βが大きすぎると摺動金具１１を円滑にスライドし得ないため、例えば１０〜４５度程度とするのが望ましい。また摺動金具１１は、前記水平状態において、第１のアーム片１１ａと第２のアーム片１１ｂとを枢支している前記ピンＰ４を前記ガイド部１４のガイド孔Ｈ内位置させている。
【００３６】
以上のように構成された本実施形態の動作について説明する。
図１０には、このようなベッド１を、水平状態から垂直状態に折り畳む一過程を様式的に略示している。ベッド１を水平状態から垂直状態に折り畳む際には、例えば前記第１の支脚部２０の取手部２０ｃを上に持ち上げる。この際、前記バネ１９により、折り畳む向きの付勢力が加わるため、操作力が軽減される。また取手部２０ｃの持ち上げにより、前記中間支脚部１７は、垂直状態にて上昇することにより、該中間支脚部１７と前記第１の載置枠４とがなす角度αは９０度から徐々に減少する。また摺動金具１１のスライドは前記ガイド部１４によって、第１の載置枠４に沿ったベッド長さ方向（ベッドが水平であるか否かを問わない）に拘束されるため、前記角度αの減少により、連結軸１８は摺動金具１１を第１の載置枠４の他端部Ａ側から一端部Ａ側（ベッド長さ方向の外向き）に向けてスライドさせる。
【００３７】
このような摺動金具１１のスライドにより、図９（Ｃ）及び図１０に実線で示した如く、前記ピンＰ４が前記第１の載置枠４の一端部Ａの端面Ｅを外方に超え、該摺動金具１１は、前記ねじりコイルばね３１による復元力により、第２のアーム片１１ｂが第２の載置枠６と反対側にかつ前記角度θまで折れ曲がりしうる。このような第２のアーム片１１ｂの折れ曲がり動作は、第２の車輪９が床面Ｆに接触することなく円滑に行われる。
【００３８】
また、さらに第１のベッド枠体２と第２のベッド枠体３との折り畳みが進むと図１１に示すように、第１の車輪８、第２の車輪９がともに接地する２輪接地状態を得ることができ、該２輪８、９にて第１のベッド枠体２の荷重を支え得る。またこの２輪接地状態からさらに折り畳みが進むと、図１２に示す如く、前記第１の車輪８は床面Ｆから浮上し、前記第１のベッド枠体２の荷重は第２の車輪９へと移り、以後、図３に示した垂直状態まで第１のベッド枠体２の荷重は該第２の車輪９によって支持され得る。なお第２の車輪９は、前記折れ曲がり角度θが制限されるため、該荷重を支持できる。
【００３９】
また本実施形態のベッド１は、図３に示したように垂直状態において、前記第２の支脚部７の車輪７ｃと前記第２の車輪９によって床面Ｆに接地する。とりわけ、前記第２のアーム片１１ｂを、前記第２の載置枠６と反対側に折れ曲げることによって前記第２の車輪９を前記第１の載置枠４よりも外側で接地させることができ、折り畳んだベッド１の安定性をより向上するのに役立つ。なお本実施形態では、前記第２の車輪９が図１３に示した第２の車輪ｑと略同位置で床面Ｆに接地させることが可能となる。
【００４０】
また垂直状態で床面Ｆに接地する各車輪７ｃ、９は、いずれも前記垂直状態において、垂直軸回りに首振り可能なキャスタ輪で構成されている。従って、ベッド１は、床面Ｆとの間で無理な摩擦を生じさせることなく、前後、斜め、左右、その場旋回など自在に床面Ｆを走行でき、可搬性をさらに高めうるとともに、床面Ｆに各車輪との摩擦痕などが付着するのを防止できる。また、第２のアーム片１１ｂには化粧カバー１２ｂ２が装着されているため、垂直状態において突出する該第２のアーム片１１ｂの美観をも向上できる。
【００４１】
なおベッド１を垂直状態から水平状態へ展開する際には、前記取手部２０ｃを展開方向に引くことにより容易になしうる。これにより床面Ｆに接地している第２の車輪９が第１のベッド枠体２の荷重を受けながら展開方向に走行し、かつ中間支脚部１７と前記第１の載置枠４とのなす角度αを徐々に増す。
【００４２】
これにより、前記とは逆に第１の車輪８が床面Ｆに徐々に接近し、図１１に示した２輪接地状態を得るとともに、前記角度αの増大により、連結軸１８は摺動金具１１を第１の載置枠４の一端部Ａ側から他端部Ｂ側（ベッド長さ方向の内向き側）に向けてスライドさせることにより、前記摺動金具１１の支点Ｐ４が第１の載置枠４の一端部Ａの端面Ｅよりも他端部Ｂ側に移行する。また、さらなる連結軸１８のスライドにより、摺動金具１１は、ねじりコイルばね３１の付勢力に抗じて第２のアーム片１１ｂの折れ曲がりを減じつつ前記ピンＰ４をガイド部１４へと収容する。そして、水平状態において、第２の車輪９は第１の載置枠４の下方へ収容され第１の車輪８が接地する。
【００４３】
上記実施形態ではリンク機構を用いて第２の車輪９を第１の載置枠４の下方から出し入れさせるものを例示したが、本発明はこのような方法に限定されるものではなく、例えばベッド１の水平状態を検知するとともに、第２の車輪９をアクチュエータを用いて第１の載置枠４の下方へと収容させることもできる。水平状態の検知には、第１、第２の載置枠４、６の開く角度を検知することにより容易に行うことができ、またアクチュエータには電動シリンダなどを好適に使用できる。
【００４４】
また前記第２の車輪９は、前記第１の載置枠４の巾方向の略中央部に設けたものを例示するが、その位置に限定されるものではなく、又２以上設けることもできる。さらに、第２のアーム片１１ｂを、第２の載置枠６とは反対側に折り曲げるものを例示したが、これとは逆方向、すなわち第２の載置枠６側に折り曲げても良い。さらには第２の車輪９を床面Ｆ側に付勢するバネ手段を設けても良い。また前記摺動金具１１、連結軸１８の長さ、リンク比などは適宜自在に変形できるなど、本発明は種々の態様に変形しうる。
【００４５】
【発明の効果】
以上説明したように、本発明の折畳みベッドは、第１のベッド枠体が、第１の支脚部に設けられかつ水平状態で該第１の載置枠を支持する第１の車輪と、第１の載置枠の一端部側に配されかつ垂直状態において該第１の載置枠から突出し床面に接地する第２の車輪とを具え、かつ該第２の車輪は、垂直状態から水平状態への展開により前記第１の載置枠の下方へ収容される。これにより、ベッドの垂直状態では第２の車輪で第１の載置枠の荷重などを支持でき、保管時の安定性や移動時の走行安定性を向上しうる。またベッドの水平状態では、第２の車輪を第１の載置枠の下方へと収容し外部からの視覚されるのを妨げることによってベッドの美観を向上することもできる。更に第２の車輪を、第１の載置枠にベッド長さ方向にスライド可能に配された摺動金具の外端に取り付け、垂直状態となるに従いこの摺動金具を第１の載置枠の前記一端部側にスライドさせる作動具を設けているため、該垂直状態で第２の車輪を容易に床面に接地させることができる。
【００４７】
また請求項３記載の発明のように、第２の車輪を、第１の載置枠にベッド長さ方向にスライド可能に配された摺動金具の外端に取り付け、水平状態となるに従いこの摺動金具を第１の載置枠の前記他端部側にスライドさせる作動具を設けたときには、該水平状態で第２の車輪を容易に第１の載置枠の下方へと収容できる。
【００４８】
また請求項４記載の発明のように、作動具を、中間支持脚と前記摺動金具の内端とを連結する連結具から形成したときには、継ぎ材を中心としたベッドの折畳み、展開運動を前記摺動金具のスライド運動に容易に変換でき、簡単な構成で第２の車輪を出し入れしうる。
【００４９】
また請求項５、６記載の発明のように、摺動金具を折れ曲がり可能な第１のアーム片と第２のアーム片とで構成しかつ第２の車輪が取り付けられた第２のアーム片を垂直状態において、第２の載置枠と反対側に折れ曲げることによって前記第２の車輪を前記第１の載置枠よりも外側で接地させたときには、垂直状態においてベッドの安定性がより向上できる。
【００５０】
また請求項７記載の発明のように、第２のアーム片は、前記第１の載置枠から突出する部分に、化粧カバーを装着することにより、垂直状態での美観をも高めうる。
【図面の簡単な説明】
【図１】本発明の一実施の形態を展開した水平状態で例示する斜視図である。
【図２】その側面図である。
【図３】折畳んだ垂直状態を例示する側面図である。
【図４】水平状態において第１の載置枠を下方から見た部分斜視図である。
【図５】その分解斜視図である。
【図６】摺動金具の斜視図である。
【図７】第１のアーム片と第２のアーム片の枢着部を拡大して示す断面図である。
【図８】第１のアーム片と第２のアーム片の枢着部を拡大して示す断面図である。
【図９】（Ａ）〜（Ｃ）は、第２のアーム片の折れ曲がり状態を示す側面視の略図である。
【図１０】折り畳み状態を示す略図である。
【図１１】２輪接地状態を示す側面図である。
【図１２】折り畳み状態を示す略図である。
【図１３】従来の折畳みベッドの水平状態を例示する斜視図である。
【図１４】その折り畳んだ垂直状態を示す側面図である。
【符号の説明】
１  折畳みベッド
２  第１のベッド枠体
３  第２のベッド枠体
４  第１の載置枠
５  第１の支脚部
６  第２の載置枠
７  第２の支脚部
８  第１の車輪
９  第２の車輪
１１  摺動金具
１６  作動具
【図１】
0003892664.tif 000002
【図２】
0003892664.tif 000003
【図３】
0003892664.tif 000004
【図４】
0003892664.tif 000005
【図５】
0003892664.tif 000006
【図６】
0003892664.tif 000007
【図７】
0003892664.tif 000008
【図８】
0003892664.tif 000009
【図９】
0003892664.tif 000010
【図１０】
0003892664.tif 000011
【図１１】
0003892664.tif 000012
【図１２】
0003892664.tif 000013
【図１３】
0003892664.tif 000014
【図１４】
0003892664.tif 000015